(57)【要約】【課題】電子マネー端末装置を安価に増設する。【解決手段】決済システム１０は、ＩＣカードＸＡ１に対して電子情報の送受信を行う複数の電子マネー端末装置１１と、複数の電子マネー端末装置１１と通信する通信部３６を有する一次決済サーバ１３と、を備え、一次決済サーバ１３は、決済に用いるＩＣカードＸＡ１の電子情報を記憶する中継記憶媒体３０と、中継記憶媒体３０に対して電子情報の書込みを行うＲ／Ｗ制御部３７と、中継記憶媒体３０の電子情報を解読して決済を行って、その電子情報を更新するＲ／Ｗモジュール３１と、を有してなる。【選択図】図４
2012190433.tif 000002
【特許請求の範囲】
【請求項１】
客が所持する記憶媒体に対して電子情報の送受信を行う複数の電子マネー端末装置と、
前記複数の電子マネー端末装置からネットワークを介して遠隔に配置され、該複数の電子マネー端末装置と通信する通信部を有してなる事業主側の決済サーバと、によって構成された電子マネー決済システムであって、
前記電子マネー端末装置は、
決済に用いる前記記憶媒体の電子情報を読み出す時、および決済により更新された電子情報を前記記憶媒体へ書き込む時に用いる第１のアンテナを備え、
前記決済サーバは、
前記電子マネー端末装置から前記通信部によって受信した電子情報を一時的に記憶し、および決済により更新された電子情報を一時的に記憶する中継記憶媒体と、
前記中継記憶媒体と有線によって接続され、前記電子マネー端末装置から前記通信部によって受信した電子情報を該有線を介して該中継記憶媒体に書き込み、および前記決済により更新された電子情報を該有線を介して中継記憶媒体から読み出して前記通信部を介して前記電子マネー端末装置へ送信するＲ／Ｗ制御部と、
前記電子マネー端末装置から前記通信部によって受信した電子情報を前記中継記憶媒体から読み出すための第２のアンテナと、
前記第２のアンテナを介して読み出した前記電子情報を解読して決済し、さらに決済により該電子情報を更新して、前記第２のアンテナを介して前記中継記憶媒体に書き込むＲ／Ｗモジュールと、を有してなり、
前記電子マネー端末装置は、前記記憶媒体から前記電子情報を暗号化された状態のまま読み出して、前記決済サーバへ送信し、
前記決済サーバは、前記通信部によって前記暗号化されたままの電子情報を受信して前記第２のアンテナを介さずに前記有線を介して前記中継記憶媒体に書き込み、前記中継記憶媒体に書き込まれた前記暗号化された電子情報を前記第２のアンテナを介して読み出し解読して決済し、決済により更新し暗号化した電子情報を前記中継記憶媒体に書き込み、さらに前記中継記憶媒体から前記電子マネー端末装置へ送信し、
前記電子マネー端末装置から前記記憶媒体へ前記更新し暗号化した電子情報を送信することを特徴とする、
電子マネー決済システム。
【請求項２】
前記決済サーバの前記通信部は、ネットワークを介して電子マネー運用会社側の本決済サーバと通信し、
前記決済サーバの前記Ｒ／Ｗモジュールは、前記決済として、前記本決済サーバで行う前記事業主と前記電子マネー運用会社との間の本決済に先立って、前記客と前記事業主との間の一次決済を行い、
さらに前記決済サーバは、前記本決済サーバに対して通知を出して、先に行った前記一次決済の本決済を行わせる通知部を有してなることを特徴とする、
請求項１に記載の電子マネー決済システム。
【発明の詳細な説明】
【技術分野】
【０００１】
本発明は、電子マネー決済システムに関する。
【背景技術】
【０００２】
ＩＣ（Integrated Circuit）カードや携帯電話機等の記憶媒体に記憶された電子情報を利用して決済を行うシステム、すなわち、電子マネーによる決済システム（電子マネー決済システム）が普及している（例えば、特許文献１参照）。この電子マネー決済システムは、店舗や自動販売機等を所有する事業主と、電子マネーを管理する電子マネー運用会社と、の間に構築される。
【０００３】
具体的に、電子マネー決済システムは、店舗におけるレジスタや自動販売機等に設置された複数の電子マネー端末装置と、これら複数の電子マネー端末装置の各々にイントラネットを介して接続された事業主側の一次決済サーバと、この一次決済サーバにインターネット等を介して接続された電子マネー運用会社側の本決済サーバと、を備えている。
【０００４】
電子マネー端末装置は、Ｒ／Ｗ（Reader/Writer）モジュールを備えており、このＲ／Ｗモジュールが、客によってかざされたＩＣカードに対して電子情報の読込み、解読、および書込みを行う。一次決済サーバは、電子マネー端末装置にＩＣカードがかざされている間に、ＩＣカードの電子情報に基づいて一次決済（客と事業主との間の決済）を行って、その電子情報を更新する。この一次決済サーバは、電子マネー端末装置にＩＣカードがかざされているといないとにかかわらず、所定のタイミングで本決済サーバと通信し、先に行った複数の一次決済について後でまとめて本決済（事業主と電子マネー運用会社との間の決済）を行う。
【０００５】
このように、本決済を後でまとめて行うバッチ処理としているのは、本決済にある程度の時間を要するからである。本決済をバッチ処理とすることにより、ＩＣカードをかざす時間が短くなり、客に違和感や不安を与えずに円滑な決済ができる。
【先行技術文献】
【特許文献】
【０００６】
【特許文献１】特開２００５−０７１０８１号公報
【発明の概要】
【発明が解決しようとする課題】
【０００７】
ところで、電子マネー端末装置が備えるＲ／Ｗモジュールは、暗号技術を用いたセキュアな部品であり、比較的高価なものである。このため、電子マネーで決済できるレジスタや自動販売機の台数を増やしたい場合であっても、電子マネー端末装置を安価に増設できず、実現が難しい。
【０００８】
そこで、本発明は、上述した問題点に鑑みてなされたものであり、電子マネー端末装置を安価に増設できる電子マネー決済システムを提供することを目的とする。
【課題を解決するための手段】
【０００９】
（１）本発明は、客が所持する記憶媒体に対して電子情報の送受信を行う複数の電子マネー端末装置と、前記複数の電子マネー端末装置からネットワークを介して遠隔に配置され、該複数の電子マネー端末装置と通信する通信部を有してなる事業主側の決済サーバと、によって構成された電子マネー決済システムであって、前記電子マネー端末装置は、決済に用いる前記記憶媒体の電子情報を読み出す時、および決済により更新された電子情報を前記記憶媒体へ書き込む時に用いる第１のアンテナを備え、前記決済サーバは、前記電子マネー端末装置から前記通信部によって受信した電子情報を一時的に記憶し、および決済により更新された電子情報を一時的に記憶する中継記憶媒体と、前記中継記憶媒体と有線によって接続され、前記電子マネー端末装置から前記通信部によって受信した電子情報を該有線を介して該中継記憶媒体に書き込み、および前記決済により更新された電子情報を該有線を介して該中継記憶媒体から読み出して前記通信部を介して前記電子マネー端末装置へ送信するＲ／Ｗ制御部と、前記電子マネー端末装置から前記通信部によって受信した電子情報を前記中継記憶媒体から読み出すための第２のアンテナと、前記第２のアンテナを介して読み出した前記電子情報を解読して決済し、さらに決済により該電子情報を更新して、前記第２のアンテナを介して前記中継記憶媒体に書き込むＲ／Ｗモジュールと、を有してなり、前記電子マネー端末装置は、前記記憶媒体から前記電子情報を暗号化された状態のまま読み出して、前記決済サーバへ送信し、前記決済サーバは、前記通信部によって前記暗号化されたままの電子情報を受信して前記第２のアンテナを介さずに前記有線を介して前記中継記憶媒体に書き込み、前記中継記憶媒体に書き込まれた前記暗号化された電子情報を前記第２のアンテナを介して読み出し解読して決済し、決済により更新し暗号化した電子情報を前記中継記憶媒体に書き込み、さらに前記中継記憶媒体から前記電子マネー端末装置へ送信し、前記電子マネー端末装置から前記記憶媒体へ前記更新し暗号化した電子情報を送信することを特徴とする、電子マネー決済システムである。
【００１０】
（２）本発明はまた、前記決済サーバの前記通信部は、ネットワークを介して電子マネー運用会社側の本決済サーバと通信し、前記決済サーバの前記Ｒ／Ｗモジュールは、前記決済として、前記本決済サーバで行う前記事業主と前記電子マネー運用会社との間の本決済に先立って、前記客と前記事業主との間の一次決済を行い、さらに前記決済サーバは、前記本決済サーバに対して通知を出して、先に行った前記一次決済の本決済を行わせる通知部を有してなることを特徴とする、上記（１）に記載の電子マネー決済システムである。
【００１１】
上記（１）に記載の発明によれば、決済サーバにおける決済処理部が、中継記憶媒体、すなわち記憶媒体の電子情報を解読して決済を行うから、電子マネー端末装置に、記憶媒体の電子情報を解読するセキュアで高価な部品を設けずに済む。これにより、電子マネー端末装置を安価に増設できる。また、決済サーバに中継記憶媒体を設けたことで、第２のアンテナおよびＲ／Ｗモジュールは、従来の電子マネー端末装置がパッケージとして備えているものと同一のものを適用できるから、各構成部品を一から組み立てる場合と比較して、決済サーバを安価かつ簡単に実現できる。
【発明の効果】
【００１２】
本発明の上記（１）および（２）に記載の電子マネー決済システムによれば、電子マネー端末装置を安価に増設できる。
【図面の簡単な説明】
【００１３】
【図１】本発明の第１実施形態に係る決済システムの構成を示すブロック図である。
【図２】図１に示す一次決済サーバの構成を示すブロック図である。
【図３】図２に示す中継記憶媒体の構成を示すブロック図である。
【図４】図１に示す決済システムの機能的な構成を示すブロック図である。
【図５】図１に示す決済システムにおける一次決済の流れを示すシーケンス図である。
【図６】一次決済を行う一次決済サーバの第１の決定手順を示すシーケンス図であり、（Ａ）は一の一次決済サーバが故障している場合を示し、（Ｂ）は一の一次決済サーバが決済処理中の場合を示す。
【図７】一次決済を行う一次決済サーバの第２の決定手順を示すシーケンス図である。
【図８】一次決済を行う一次決済サーバの第３の決定手順を示すシーケンス図である。
【図９】イントラネットに接続された一次決済サーバの台数の確認手順を示すシーケンス図である。
【図１０】各一次決済サーバにおける本決済のタイミングを示すタイミングチャートであり、（Ａ）は一の一次決済サーバにおける本決済が完了したことを契機に他の一次決済サーバにおける本決済を順次開始させる場合を示し、（Ｂ）は一の一次決済サーバにおける本決済中に他の一次決済サーバにおける本決済を順次開始させる場合を示す。
【図１１】本発明の第２実施形態に係る決済システムの機能的な構成を示すブロック図である。
【図１２】図１１に示す決済システムにおける一次決済の流れを示すシーケンス図である。
【発明を実施するための形態】
【００１４】
以下、図面を参照して、本発明の第１および第２実施形態に係る決済システムについて詳細に説明する。なお、本発明が以下の各実施形態にて説明する決済システムの構成に限定されるものではない。
【００１５】
［第１実施形態］まず、図１〜図４を用いて、第１実施形態に係る決済システム１０の構成について説明する。図１は、決済システム１０の構成を示すブロック図である。図２は、一次決済サーバ１３の構成を示すブロック図である。図３は、中継記憶媒体３０の構成を示すブロック図である。図４は、決済システム１０の機能的な構成を示すブロックである。なお、図１〜図４および図５以降の各図において、図面の簡略化のため、一部の構成要素の図示を適宜省略する。
【００１６】
図１に示す決済システム（電子マネー決済システム）１０は、ＩＣカードや携帯電話機等の記憶媒体（以下、ＩＣカードと称す。）ＸＡ１に記憶された電子情報を利用して決済を行うものである。この決済システム１０は、店舗を所有する事業主側と、電子マネーを管理する電子マネー運用会社側と、の間に構築される。
【００１７】
具体的に、決済システム１０は、店舗における会計場に設置された複数の電子マネー端末装置１１と、各電子マネー端末装置１１との組合せで会計場に設置された複数のＰＯＳレジスタ１２と、店舗毎に管理される複数の一次決済サーバ（決済サーバ）１３と、電子マネー運用会社に管理される本決済サーバ１４と、店舗内の狭域ネットワークとして機能するイントラネット１５と、事業主および電子マネー運用会社をつなぐ広域ネットワークとして機能するインターネット１６と、を備えている。以下、上記各構成要件について説明する。
【００１８】
（電子マネー端末装置）各電子マネー端末装置１１は、ＰＯＳレジスタ１２に入力された金額を代金として決済する際に、ＩＣカードＸＡ１等をかざしたりタッチしたりして用いる。各電子マネー端末装置１１は、ＰＯＳレジスタ１２にＵＳＢ（図示省略）で接続され、さらに、イントラネット１４を経由して複数の一次決済サーバ１３に接続されている。
【００１９】
具体的に、電子マネー端末装置１１は、ＩＣカードＸＡ１等と電子情報を送受信するアンテナ（第１のアンテナ）１９と、電子情報をアナログ形式からデジタル形式に変換するＡ／Ｄ変換機能を有するＡ／Ｄ変換部２１と、ＰＯＳレジスタ１２を介して複数の一次決済サーバ１３と通信する通信部２２と、を備えている。なお、アンテナ１９は、ＩＣカードＸＡ１等に対する電子情報の読書きを行う読書き処理部として機能する。また、Ａ／Ｄ変換部２１および後述するＡ／Ｄ変換部３０ｂ、３４、３８は、周知の通り、電子情報をデジタル形式からアナログ形式に変換するＤ／Ａ変換機能を有しており、Ａ／Ｄ変換機能およびＤ／Ａ変換機能を適宜使い分ける。
【００２０】
以上の電子マネー端末装置１１によれば、アンテナ１９を利用してＩＣカードＸＡ１等から読み出した電子情報を、Ａ／Ｄ変換部２１でアナログ形式からデジタル形式に変換してから、一次決済サーバ１３に送信できると共に、一次決済サーバ１３から受信した電子情報を、Ａ／Ｄ変換部２１でデジタル形式からアナログ形式に変換してから、アンテナ１９を利用してＩＣカードＸＡ１等に送信することで書き込める。なお、電子マネー端末装置１１は、暗号技術を用いたセキュアな部品を備えておらず、電子情報を解読することはない。
【００２１】
（ＰＯＳレジスタ）ＰＯＳレジスタ１２は、商品の売価や販売実績等を蓄積するデータベース（図示省略）と、商品についたバーコードを読み取るバーコードスキャナ等の入力装置（図示省略）と、電子マネー端末装置１１と通信する通信部（図示省略）と、等を備えている。このＰＯＳレジスタ１２によれば、入力装置から入力された商品情報を、販売実績としてデータベースに蓄積できると共に、電子マネー端末装置１１との組合せで用いることで、電子マネーで決済できる。
【００２２】
（一次決済サーバ）各一次決済サーバ１３は、ＩＣカードＸＡ１等から読み出された電子情報を利用して一次決済を行うと共に、先に行った複数の一次決済について後でまとめて本決済サーバ１４に本決済を行わせる。各一次決済サーバ１３は、イントラネット１５を経由してＰＯＳレジスタ１２に接続され、さらに、電子マネー端末装置１１に接続されている。また、各一次決済サーバ１３は、イントラネット１５およびインターネット１６を経由して本決済サーバ１４に接続されている。なお、いずれの一次決済サーバ１３が一次決済を行うかの決定手順は、後述する。
【００２３】
なお、各一次決済サーバ１３は、一時に一台の電子マネー端末装置１１との間で一次決済を行い、一時に複数台の電子マネー端末装置１１との間で一次決済を行うことはない。仮に、一時に複数台の電子マネー端末装置１１から一時に同一の一次決済サーバ１３にアクセスしようとした場合であっても、イントラネット１５の構成上、必然的にアクセスするタイミングに順番が生じるので、一次決済サーバ１３は、先にアクセスした電子マネー端末装置１１との間で一次決済を行う。また、各一次決済サーバ１３は、いずれか一台の電子マネー端末装置１１との間で一次決済を行っている時に、本決済サーバ１４との間で本決済を行うことはない。
【００２４】
図２に示すように、一次決済サーバ１３は、ＣＰＵ（Central Processing Unit）２５と、ＥＥＰＲＯＭ（Electrically Erasable and Programmable Read Only Memory）２６と、ＲＡＭ（Random Access Memory）２７と、ＮＩＣ（Network Interface Card）２８と、一次決済パッケージ２９と、ＩＣカード形式の中継記憶媒体３０と、を備えている。一次決済サーバ１３の各部は、バス（符号省略）を介して互いに接続されている。
【００２５】
ＣＰＵ２５は、ＥＥＰＲＯＭ２６に記憶されているプログラムを読み出してＲＡＭ２７に展開し、Ｒ／Ｗ制御部３７（図４参照）と通知部３９（図４参照）とを実現する。また、ＣＰＵ２５は、ＥＥＰＲＯＭ２６に記憶されている別のプログラムを読み出してＮＩＣ２８を制御し、通信部３６（図４参照）を実現する。
【００２６】
ＥＥＰＲＯＭ２６は、書換え可能な不揮発性メモリであり、各種プログラム等が記憶されている。ＲＡＭ２７は、ＣＰＵ２５がプログラムを実行する際に用いられる作業用メモリである。ＮＩＣ２８は、イントラネット１５とのインターフェイスとなるハードウェアである。
【００２７】
一次決済パッケージ２９は、Ｒ／Ｗモジュール３１と、ＲＦ部３２と、アンテナ（第２のアンテナ）３３と、を備えている。Ｒ／Ｗモジュール３１は、暗号技術を用いたセキュアな部品であり、本決済サーバ１４が行う本決済に先立って、その本決済とは非同期でＩＣカードＸＡ１等の電子情報を解読して一次決済を行う。ＲＦ部３２は、Ａ／Ｄ変換部３４等を備えている。
【００２８】
中継記憶媒体３０には、ＩＣカードＸＡ１に記憶されている特性情報（電子マネー端末装置１１がＩＣカードＸＡ１からの応答を待っている時間のリミットを設定するための応答待ち時間等）や、一次決済に用いるＩＣカードＸＡ１の電子マネーの金額情報等がＲ／Ｗ制御部３７の制御に基づいて読書きされる。
【００２９】
ただし、中継記憶媒体３０に書込みが行われる特性情報のうち、ＩＣカードＸＡ１等の応答待ち時間については、Ｒ／Ｗ制御部３７によって適宜長めに変更（例えば、ＩＣカードＸＡ１等に記憶されている応答待ち時間が３［ｍｓ］（ＩＣカード）や４０［ｍｓ］（携帯電話機）の場合、５００［ｍｓ］に変更）してから中継記憶媒体３０に書込みが行われる。その理由は、従来は電子マネー端末装置が内蔵するＲ／ＷモジュールでＩＣカードＸＡ１等の電子情報を解読しており、ＩＣカードＸＡ１等から近距離の範囲内で処理が完結していたが、本発明では、イントラネット１５等を経由した先のＲ／Ｗモジュール３１でＩＣカードＸＡ１等の電子情報を解読するようにしており、ＩＣカードＸＡ１等から近距離の範囲内で処理が完結せず、ＩＣカードＸＡ１等に記憶されている応答待ち時間のままでは、電子情報を解読する前に応答タイムアウトとなってしまうからである。
【００３０】
図３（Ａ）に一例を示すように、中継記憶媒体３０は、アンテナ３０ａと、Ａ／Ｄ変換部３０ｂと、ＣＰＵ３０ｃと、ＲＡＭ３０ｄと、を備えている。この例における中継記憶媒体３０は、Ｒ／Ｗ制御部３７の制御に基づいて、ＩＣカードＸＡ１に記憶されている特性情報や、ＩＣカードＸＡ１の電子マネーの金額情報等が、ＣＰＵ３０ｃへ送られ、ＣＰＵ３０ｃの制御に基づいてＲＡＭ３０ｄに記憶される。また、ＣＰＵ３０ｃの制御に基づいて、アンテナ３０ａを介してアンテナ３３側に情報を読み出させたり、アンテナ３０ａを介してアンテナ３３側からの情報が書き込まれたりする。
【００３１】
なお、図３（Ｂ）に他の例を示すように、中継記憶媒体３０を、アンテナ３０ａのみの構成として、ＣＰＵ３０ｃの機能をＣＰＵ２５に持たせると共に、ＲＡＭ３０ｄに記憶する情報をＲＡＭ２７に記憶させて、さらに、Ａ／Ｄ変換部３０ｂを中継記憶媒体３０とＣＰＵ２５との間に設けることで、図３（Ａ）の例と同様の機能を備えた一次決済サーバ１３を構成することもできる。
【００３２】
図４に示すように、一次決済サーバ１３には、通信部３６と、Ｒ／Ｗ制御部３７と、通知部３９と、が構築されている。なお、Ｒ／Ｗ制御部３７は、一次決済パッケージ２９と共に、一体となって決済処理部４０を構成する。なお、図面の簡略化のため、符号４０の図示は省略する。
【００３３】
通信部３６は、複数の電子マネー端末装置１１の各々、および本決済サーバ１４と通信する。Ｒ／Ｗ制御部３７は、ＩＣカードＸＡ１等に対する電子情報の送受信を、電子マネー端末装置１１に対して行わせる。通知部３９は、後述する所定のタイミングで、本決済サーバ１４に対して通知を出して、Ｒ／Ｗモジュール３１が先に行った一次決済の本決済をバッチ処理により行わせる。
【００３４】
（本決済サーバ）本決済サーバ１４は、通知部３９からの通知に基づいて、各一次決済サーバ１３の本決済をバッチ処理により行う。
【００３５】
次に、決済システム１０による一次決済の流れについて、図４および図５を用いて説明する。図５は、決済システム１０における一次決済の流れを示すシーケンス図である。
【００３６】
一次決済を行う場合、まず、ＰＯＳレジスタ１２からイントラネット１５を経由して、一次決済サーバ１３のＲ／Ｗ制御部３７に決済信号が入力される。決済信号が入力されたＲ／Ｗ制御部３７は、（１）ＩＣカードＸＡ１等に記憶されているＩＤ（固有番号）および特性情報の読出し、（２）ＩＣカードＸＡ１等に記憶されている電子情報の読出しおよび更新、（３）更新後の電子情報のＩＣカードＸＡ１等への書込み、並びに（４）正しい書込みが行われたか否かのチェック（ベリファイ）を、（１）〜（４）の順に開始する。なお、（１）〜（４）の各処理は互いに同様の手順を踏むので、以下では（１）および（４）を省略して（２）および（３）のみを説明する。
【００３７】
具体的に、ＰＯＳレジスタ１２からＲ／Ｗ制御部３７に決済信号が入力されて、Ｒ／Ｗ制御部３７がＩＣカードＸＡ１に対して電子情報の読出しをする時、Ｒ／Ｗ制御部３７から出力された決済信号は、Ｒ／Ｗモジュール３１、ＲＦ部３２、アンテナ３３を介して、中継記憶媒体３０へと書き込まれる。
【００３８】
中継記憶媒体３０に書き込まれた決済信号は、Ｒ／Ｗ制御部３７によって読み取られる。そして読み取られた決済信号は、Ｒ／Ｗ制御部３７からイントラネット１５、およびＰＯＳレジスタ１２を介して、電子マネー端末装置１１に送信される。
【００３９】
決済信号を受信した電子マネー端末装置１１は、ＩＣカードＸＡ１等に記憶されている電子情報の読出しを、アンテナ１９を介して行う。
【００４０】
なお、Ｒ／Ｗ制御部３７から出力された決済信号は、Ｒ／Ｗモジュール３１によってＩＣカードの通信プロトコルに変換されると共に暗号化されて、再びＲ／Ｗ制御部３７に入力されることになる。Ｒ／Ｗ制御部３７は、Ｒ／Ｗモジュール３１によって暗号化された決済信号をそのまま出力する。
【００４１】
アンテナ１９を介して決済信号が入力されたＩＣカードＸＡ１等からは、アンテナ１９を介して電子マネー端末装置１１に電子情報が読み出される。電子マネー端末装置１１に読み出されたＩＣカードＸＡ１等の電子情報は、ＰＯＳレジスタ１２およびイントラネット１５を介して、一次決済サーバ１３に受信される。
【００４２】
一次決済サーバ１３に受信されたＩＣカードＸＡ１等の電子情報は、Ｒ／Ｗ制御部３７の制御に基づいて中継記憶媒体３０へ書き込まれ、アンテナ３３、およびＲＦ部３２を介してＲ／Ｗモジュール３１に送信される。Ｒ／Ｗモジュール３１に送信されたＩＣカードＸＡ１等の電子情報は解読され、一次決済の処理が行われる。この処理では、電子情報が書き換えられ、更新される。更新後の電子情報は、Ｒ／Ｗモジュール３１からＲＦ部３２およびアンテナ３３を介して中継記憶媒体３０へ書き込まれ、中継記憶媒体３０からＲ／Ｗ制御部３７に戻される。そして、Ｒ／Ｗ制御部３７は、更新後の電子情報のＩＣカードＸＡ１等への書込みを開始する。
【００４３】
具体的に、Ｒ／Ｗ制御部３７は、Ｒ／Ｗモジュール３１、ＲＦ部３２、アンテナ３３、中継記憶媒体３０、Ｒ／Ｗ制御部３７、イントラネット１５およびＰＯＳレジスタ１２を介して、電子マネー端末装置１１に更新後の電子情報を送信して、電子マネー端末装置１１に対し、ＩＣカードＸＡ１等に更新後の電子情報の書込みを、アンテナ１９を介して行わせる。
【００４４】
アンテナ１９を介して更新後の電子情報の書込みが行われたＩＣカードＸＡ１等からは、アンテナ１９を介して電子マネー端末装置１１に所定の決済信号が送信される。電子マネー端末装置１１に送信された決済信号は、ＰＯＳレジスタ１２およびイントラネット１５を介して、一次決済サーバ１３に受信される。
【００４５】
一次決済サーバ１３に受信された決済信号は、Ｒ／Ｗ制御部３７、中継記憶媒体３０、アンテナ３３、ＲＦ部３２、およびＲ／Ｗモジュール３１を介してＲ／Ｗ制御部３７に戻される。そして、Ｒ／Ｗ制御部３７は、一次決済終了を知らせる決済信号を、イントラネット１５を介してＰＯＳレジスタ１２に送信する。
【００４６】
次に、一次決済を行う一次決済サーバ１３の決定手順について、第１〜第３の場合を例示する。なお、一次決済を行う一次決済サーバ１３の決定手順は、第１〜第３の場合に限定されるものではない。
【００４７】
まず、一次決済を行う一次決済サーバ１３の第１の決定手順について、図６を用いて説明する。図６は、一次決済を行う一次決済サーバ１３の決定手順を示すシーケンス図であり、（Ａ）は一の一次決済サーバが故障している場合を示し、（Ｂ）は一の一次決済サーバが決済処理中の場合を示す。
【００４８】
これから説明する第１の決定手順は、一次決済を行う際に、複数の一次決済サーバ１３に対して所定の序列にしたがって一から順にアクセスする手順であり、アクセスした一の一次決済サーバ１３が一次決済を行えない場合に、他の一次決済サーバ１３に順次アクセスし、アクセスした一の一次決済サーバ１３が一次決済を行える場合に、当該一の一次決済サーバ１３で一次決済を行う手順である。なお、各ＰＯＳレジスタ１２は、一次決済サーバ１３の所定の序列をリストとして予め記憶しておくことが好ましい。
【００４９】
図６（Ａ）に示されるように、（１）のＰＯＳレジスタ１２は、一次決済を行う際、（１）の一次決済サーバ１３に対して決済信号を送信する。（１）の一次決済サーバ１３が故障して一次決済を行えない場合、（１）の一次決済サーバ１３は、（１）のＰＯＳレジスタ１２に対して、故障で一次決済を行えないことを知らせるＮＧ応答の信号を返信する。
【００５０】
ＮＧ応答の信号を受信した（１）のＰＯＳレジスタ１２は、次に、（２）の一次決済サーバ１３に対して決済信号を送信する。（２）の一次決済サーバ１３が一次決済を行える場合、（２）の一次決済サーバ１３は、（１）のＰＯＳレジスタ１２に対して、一次決済を行えることを知らせるＯＫ応答の信号を返信する。ＯＫ応答の信号を受信した（１）のＰＯＳレジスタ１２は、（２）の一次決済サーバ１３との間で一次決済を行う。
【００５１】
図６（Ｂ）に示されるように、（１）のＰＯＳレジスタ１２は、一次決済を行う際、（１）の一次決済サーバ１３に対して決済信号を送信する。（１）の一次決済サーバ１３が一次決済を行える場合、（１）の一次決済サーバ１３は、（１）のＰＯＳレジスタ１２に対して、一次決済を行えることを知らせるＯＫ応答の信号を返信する。ＯＫ応答の信号を受信した（１）のＰＯＳレジスタ１２は、（１）の一次決済サーバ１３との間で一次決済を行う。
【００５２】
（１）のＰＯＳレジスタ１２と同様に、（２）のＰＯＳレジスタ１２は、一次決済を行う際、（１）の決済サーバ１３に対して決済信号を送信する。（１）の決済サーバ１３が、（１）のＰＯＳレジスタ１２との間で一次決済を行っており、（２）のＰＯＳレジスタ１２との間で一次決済を行えない場合、（１）の一次決済サーバ１３は、（２）のＰＯＳレジスタ１２に対して、一次決済を行えないことを知らせるＮＧ応答の信号を返信する。
【００５３】
ＮＧ応答の信号を受信した（２）のＰＯＳレジスタ１２は、次に、（２）の一次決済サーバ１３に対して決済信号を送信する。（２）の一次決済サーバ１３が一次決済を行える場合、（２）の一次決済サーバ１３は、（２）のＰＯＳレジスタ１２に対して、一次決済を行えることを知らせるＯＫ応答の信号を返信する。ＯＫ応答の信号を受信した（２）のＰＯＳレジスタ１２は、（２）の一次決済サーバ１３との間で一次決済を行う。
【００５４】
次に、一次決済を行う一次決済サーバ１３の第２の決定手順について、図７を用いて説明する。図７は、一次決済を行う一次決済サーバ１３の決定手順を示すシーケンス図である。
【００５５】
これから説明する第２の決定手順は、一次決済を行う前の段階において、複数の一次決済サーバ１３に対して所定の序列にしたがってアクセスしておき、一次決済を行えるか否かを予め確認しておく手順であり、一次決済を行えることを予め確認しておいた一次決済サーバ１３で一次決済を行う手順である。この手順によれば、一次決済を行う際、一次決済を行えない一次決済サーバ１３にアクセスすることなく、一次決済を行える一次決済サーバ１３に直接アクセスできる。なお、各ＰＯＳレジスタ１２は、一次決済サーバ１３の所定の序列をリストとして予め記憶しておくことが好ましい。
【００５６】
図７に示されるように、（１）のＰＯＳレジスタ１２（（１）の電子マネー端末装置１１側）は、一次決済を行う前の段階において、（１）の一次決済サーバ１３に対して、一次決済を行えるか否かの確認信号を送信する。（１）の一次決済サーバ１３が故障して一次決済を行えない場合、（１）の一次決済サーバ１３は、（１）のＰＯＳレジスタ１２に対して、故障で一次決済を行えないことを知らせるＮＧ応答の信号を返信する。
【００５７】
また、（１）のＰＯＳレジスタ１２は、（２）の一次決済サーバ１３に対して、一次決済を行えるか否かの確認信号を送信する。（２）の一次決済サーバ１３が一次決済を行える場合、（２）の一次決済サーバ１３は、（１）のＰＯＳレジスタ１２に対して、一次決済を行えることを知らせるＯＫ応答の信号を返信する。
【００５８】
同様に、（１）のＰＯＳレジスタ１２は、全て（図７ではｎ台）の一次決済サーバ１３に対して、一次決済を行えるか否かの確認信号を送信する。確認信号を受信した各一次決済サーバ１３は、（１）のＰＯＳレジスタ１２に対して、一次決済を行えることを知らせるＯＫ応答の信号、あるいは、一次決済を行えないことを知らせるＮＧ応答の信号を返信する。
【００５９】
その後、（１）のＰＯＳレジスタ１２は、一次決済を行う際、ＯＫ応答の信号を受信していた一次決済サーバ１３のいずれか（図７の例では、アクセス履歴の最も古い（２）の一次決済サーバ１３）との間で一次決済を行う。
【００６０】
次に、一次決済を行う一次決済サーバ１３の第３の決定手順について、図８を用いて説明する。図８は、一次決済を行う一次決済サーバ１３の決定手順を示すシーケンス図である。
【００６１】
これから説明する第３の決定手順は、複数のＰＯＳレジスタ１２のそれぞれが一次決済を行う際に、ＰＯＳレジスタ１２毎に定められた序列にしたがって、いずれか一の一次決済サーバ１３にアクセスする手順であり、アクセスした一の一次決済サーバ１３で一次決済を行う手順である。この手順によれば、上記第１の決定手順（図６（Ｂ）参照）と併用することで、決済システム１０を使用していくうちに、次第に、各ＰＯＳレジスタ１２が互いに異なる一次決済サーバ１３にアクセスするようになり、一の一次決済サーバ１３へのアクセス集中を防止できる。
【００６２】
なお、各ＰＯＳレジスタ１２は、一次決済サーバ１３の所定の序列をリストとして予め記憶しておくことが好ましい。この場合、各ＰＯＳレジスタ１２で互いに同一のリスト（例えば、（１）のＰＯＳレジスタ１２が記憶しているリストが一次決済サーバ（１）→（２）→（３）→・・・の順で、（２）のＰＯＳレジスタ１２が記憶しているリストが一次決済サーバ（１）→（２）→（３）→・・・の順）を記憶しておいてもよいし、各ＰＯＳレジスタ１２で互いに異なるリスト（例えば、（１）のＰＯＳレジスタ１２が記憶しているリストが一次決済サーバ（５）→（２）→（４）→・・・の順で、（２）のＰＯＳレジスタ１２が記憶しているリストが一次決済サーバ（１）→（２）→（３）→・・・）を記憶しておいてもよい。
【００６３】
図８に示されるように、（１）のＰＯＳレジスタ１２（（１）の電子マネー端末装置１１側）が１回目の一次決済を行う際、（１）の一次決済サーバ１３との間で一次決済を行う。
【００６４】
次に、（１）のＰＯＳレジスタ１２が２回目の一次決済を行う際、（２）の一次決済サーバ１３との間で一次決済を行う。同様に、（１）のＰＯＳレジスタ１２がｎ回目の一次決済を行う際、（ｎ）の一次決済サーバ１３との間で一次決済を行う。ここで、一次決済サーバ１３の台数がｎ台であるとすると、（１）のＰＯＳレジスタ１２がｎ＋１回目の一次決済を行う際、再び（１）の一次決済サーバ１３との間で一次決済を行う。以下、同様に繰り返される。（２）のＰＯＳレジスタ１２等、（１）以外のＰＯＳレジスタ１２についても、（１）のＰＯＳレジスタ１２と同様の処理を行う。
【００６５】
ところで、一次決済を行う一次決済サーバ１３を決定する際には、ＰＯＳレジスタ１２において、イントラネット１５に接続されている一次決済サーバ１３の台数を把握しておく必要がある。イントラネット１５に接続されている一次決済サーバ１３の台数は変動し得るので、ＰＯＳレジスタ１２が当該台数を定期的に確認できることが好ましい。
【００６６】
次に、イントラネット１５に接続された一次決済サーバ１３の台数の確認手順について、図９を用いて説明する。図９は、イントラネット１５に接続された一次決済サーバ１３の台数の確認手順を示すシーケンス図である。
【００６７】
図９に示されるように、各ＰＯＳレジスタ１２は、電源投入時または定期的に、（１）の一次決済サーバ１３に対して、一次決済を行えるか否かの確認信号を送信する。（１）の一次決済サーバ１３が一次決済を行える場合、（１）の一次決済サーバ１３は、確認信号を送信したＰＯＳレジスタ１２に対して、一次決済を行えることを知らせるＯＫ応答の信号を返信する。あるいは、（１）の一次決済サーバ１３が故障して一次決済を行えない場合、（１）の一次決済サーバ１３は、（１）のＰＯＳレジスタ１２に対して、故障で一次決済を行えないことを知らせるＮＧ応答の信号を返信する。ＯＫ応答またはＮＧ応答の信号を受信したＰＯＳレジスタ１２は、当該返信のあった（１）の一次決済サーバ１３を、イントラネット１５に接続されているものとしてカウントすると共に、（１）の一次決済サーバ１３固有の識別情報を保持する。
【００６８】
また、各ＰＯＳレジスタ１２は、（２）の一次決済サーバ１３に対して、一次決済を行えるか否かの確認信号を送信する。（２）の一次決済サーバ１３がイントラネット１５に接続されていない場合、（２）の一次決済サーバ１３は、ＰＯＳレジスタ１２からの確認信号は受信せず、ＰＯＳレジスタ１２に対して応答しない。ＰＯＳレジスタ１２は、応答のない（２）の一次決済サーバ１３を、イントラネット１５に接続されていないものとしてカウントする。
【００６９】
同様に、各ＰＯＳレジスタ１２は、全て（図９ではｎ台）の一次決済サーバ１３に対して、一次決済を行えるか否かの確認信号を送信し、応答の有無によって、イントラネット１５に接続されていると否とを判断してカウントすると共に、応答のあった一次決済サーバ１３固有の識別情報を保持する。
【００７０】
各ＰＯＳレジスタ１２は、カウント終了以降、次のカウント終了までの間、識別情報を保持している一次決済サーバ１３に対して一次決済のアクセスを行う。
【００７１】
次に、各一次決済サーバ１３における本決済のタイミングについて、図１０に示す例を説明する。図１０は、各一次決済サーバ１３における本決済のタイミングを示すタイミングチャートであり、（Ａ）は一の一次決済サーバ１３における本決済が完了したことを契機に他の一次決済サーバ１３における本決済を順次開始させる場合を示し、（Ｂ）は一の一次決済サーバ１３における本決済中に他の一次決済サーバ１３における本決済を順次開始させる場合を示す。なお、各一次決済サーバ１３における本決済のタイミングは、図１０に示す例に限定されるものではない。
【００７２】
各一次決済サーバ１３は、所定の序列にしたがって順番に本決済を行う。
【００７３】
図１０（Ａ）に示されるように、（１）の一次決済サーバ１３における本決済が完了すると、これを契機に（２）の一次決済サーバ１３における本決済が開始される。（２）の一次決済サーバ１３における本決済が完了すると、これを契機に（３）の一次決済サーバ１３における本決済が開始される。ここで、一次決済サーバ１３の台数がｎ台であるとすると、（ｎ）の一次決済サーバ１３における本決済が完了すると、これを契機に、再び（１）の一次決済サーバ１３における本決済が開始される。以下、同様に繰り返される。
【００７４】
図１０（Ｂ）に示されるように、（１）の一次決済サーバ１３における本決済中の所定のタイミングで、（２）の一次決済サーバ１３における本決済が開始される。（２）の一次決済サーバ１３における本決済中の所定のタイミングで、（３）の一次決済サーバ１３における本決済が開始される。ここで、一次決済サーバ１３の台数がｎ台であるとすると、（ｎ）の一次決済サーバ１３における本決済中の所定のタイミングで、再び（１）の一次決済サーバ１３における本決済が開始される。以下、同様に繰り返される。
【００７５】
このように、決済システム１０によれば、一次決済サーバ１３における決済処理部４０が、中継記憶媒体３０、すなわちＩＣカードＸＡ１等の電子情報を解読して決済を行うから、電子マネー端末装置１１に、ＩＣカードＸＡ１等の電子情報を解読するセキュアで高価な部品を設けずに済む。また、一次決済パッケージ２９は、従来の電子マネー端末装置がパッケージとして備えているものと同一であるので、一次決済パッケージ２９として、当該パッケージを適用できる。この場合、各構成部品を一から組み立てる場合と比較して、一次決済サーバ１３を安価かつ簡単に実現できる。
【００７６】
［第２実施形態］次に、図１１を用いて、第２実施形態に係る決済システム６０の構成について説明する。図１１は、決済システム６０の機能的な構成を示すブロック図である。なお、第２実施形態に係る決済システム６０の特徴部分のみを説明し、第１実施形態に係る決済システム１０と同様の構成要件、作用、および効果についての説明は省略する。
【００７７】
図１１に示す決済システム（電子マネー決済システム）６０は、複数の自動販売機６１を駅構内等の所定の区域内に所有する事業主側と、電子マネーを管理する電子マネー運用会社側と、の間に構築される。
【００７８】
具体的に、決済システム６０は、電子マネー端末装置６２を内蔵する複数の自動販売機６１と、所定の区域毎に管理される複数の一次決済サーバ１３と、本決済サーバ１４と、所定の区域内、並びに事業主側および電子マネー運用会社側をつなぐ広域ネットワークとして機能するインターネット１６と、を備えている。
【００７９】
各自動販売機６１は、電子マネー端末装置６２と、主制御ユニット６３と、等を備えている。
【００８０】
電子マネー端末装置６２は、自動販売機６１で販売される商品の代金を決済する際に、ＩＣカードＸＡ１等をかざしたりタッチしたりして用いる。各電子マネー端末装置６２は、主制御ユニット６３にＪＶＭＡ（Japan Vending Machine Manufacturers Association、日本自動販売機工業会）準拠のシリアル通信形式で接続されていると共に、インターネット１６を経由して複数の一次決済サーバ１３に接続されている。
【００８１】
具体的に、電子マネー端末装置６２は、アンテナ１９と、Ａ／Ｄ変換部２１と、通信部２２と、自販機インターフェイス６４と、を備えている。通信部２２は、自販機インターフェイス６４を介して複数の一次決済サーバ１３と通信する。自販機インターフェイス６４は、主制御ユニット６３にシリアル通信形式で接続されていると共に、インターネット１６を経由して複数の一次決済サーバ１３と通信する。
【００８２】
主制御ユニット６３は、ユニット全体を統括的に制御するＣＰＵ（図示省略）と、売上情報、売切れ情報等の各種情報を一次的に記憶するＲＡＭ（図示省略）と、等を備えている。ＲＡＭに記憶されている各種情報は、自販機インターフェイス６４を介して一次決済サーバ１３に送信できる。
【００８３】
次に、決済システム６０による一次決済の流れについて、図１１および図１２を用いて説明する。図１２は、決済システム６０における一次決済の流れを示すシーケンス図である。
【００８４】
一次決済を行う場合、まず、自動販売機６１の主制御ユニット６３から、自販機インターフェイス６４およびインターネット１６を経由して、一次決済サーバ１３のＲ／Ｗ制御部３７に決済信号が入力される。決済信号が入力されたＲ／Ｗ制御部３７は、（１）ＩＣカードＸＡ１等に記憶されているＩＤ（固有番号）および特性情報の読出し、（２）ＩＣカードＸＡ１等に記憶されている電子情報の読出しおよび更新、（３）更新後の電子情報のＩＣカードＸＡ１等への書込み、並びに（４）正しい書込みが行われたか否かのチェック（ベリファイ）を、（１）〜（４）の順に開始する。なお、（１）〜（４）の各処理は互いに同様の手順を踏むので、以下では（１）および（４）を省略して（２）および（３）のみを説明する。
【００８５】
具体的に、自動販売機６１の主制御ユニット６３からＲ／Ｗ制御部３７に決済信号が入力されて、Ｒ／Ｗ制御部３７がＩＣカードＸＡ１に対して電子情報の読出しをする時、Ｒ／Ｗ制御部３７から出力された決済信号は、Ｒ／Ｗモジュール３１、ＲＦ部３２、アンテナ３３を介して、中継記憶媒体３０へと書き込まれる。
【００８６】
中継記憶媒体３０に書き込まれた決済信号は、Ｒ／Ｗ制御部３７によって読み取られる。そして読み取られた決済信号は、Ｒ／Ｗ制御部３７から、インターネット１６、および自販機インターフェイス６４を介して電子マネー端末装置１１に送信される。
【００８７】
決済信号を受信した電子マネー端末装置１１は、ＩＣカードＸＡ１等に記憶されている電子情報の読出しを、アンテナ１９を介して行う。
【００８８】
アンテナ１９を介して決済信号が入力されたＩＣカードＸＡ１等からは、アンテナ１９を介して電子マネー端末装置１１に電子情報が読み出される。電子マネー端末装置１１に読み出されたＩＣカードＸＡ１の電子情報は、自販機インターフェイス６４およびインターネット１６を介して、一次決済サーバ１３に受信される。
【００８９】
一次決済サーバ１３に受信されたＩＣカードＸＡ１の電子情報は、Ｒ／Ｗ制御部３７の制御に基づいて、中継記憶媒体３０へ書き込まれ、アンテナ３３、およびＲＦ部３２を介してＲ／Ｗモジュール３１に送信される。Ｒ／Ｗモジュール３１に送信されたＩＣカードＸＡ１等の電子情報は解読され、一次決済の処理が行われる。この処理では、電子情報が書き換えられ、更新される。更新後の電子情報は、Ｒ／Ｗ制御部３７に戻される。そして、Ｒ／Ｗ制御部３７は、更新後の電子情報のＩＣカードＸＡ１への書込みを開始する。
【００９０】
具体的に、Ｒ／Ｗ制御部３７は、Ｒ／Ｗモジュール３１、ＲＦ部３２、アンテナ３３、中継記憶媒体３０、Ｒ／Ｗ制御部３７、インターネット１６および自販機インターフェイス６４を介して、電子マネー端末装置１１に更新後の電子情報を送信して、電子マネー端末装置１１に対し、ＩＣカードＸＡ１に更新後の電子情報の書込みを、アンテナ１９を介して行わせる。
【００９１】
アンテナ１９を介して更新後の電子情報の書込みが行われたＩＣカードＸＡ１等からは、アンテナ１９を介して電子マネー端末装置１１に所定の決済信号が送信される。電子マネー端末装置１１に送信された決済信号は、自販機インターフェイス６４およびインターネット１６を介して、一次決済サーバ１３に受信される。
【００９２】
一次決済サーバ１３に受信された決済信号は、Ｒ／Ｗ制御部３７、中継記憶媒体３０、アンテナ３３、ＲＦ部３２、およびＲ／Ｗモジュール３１を介してＲ／Ｗ制御部３７に戻される。そして、Ｒ／Ｗ制御部３７は、一次決済終了を知らせる決済信号を、インターネット１６および自販機インターフェイス６４を介して主制御ユニット６３に送信する。
【００９３】
本発明は、上記各実施形態に限られるものではなく、その趣旨および技術思想を逸脱しない範囲で種々の変形が可能である。
【００９４】
すなわち、上記各実施形態において、中継記憶媒体３０への電子情報の書込みを行うことで、ＩＣカードＸＡ１への電子情報の書込みを行う場合を例に説明したが、逆に、ＩＣカードＸＡ１からの電子情報の読出しを行う場合に、中継記憶媒体３０からの電子情報の読出しを介在させるように構成してもよい。
【００９５】
あるいは、上記各実施形態において、本発明をＰＯＳレジスタ１２や自動販売機６１に適用したが、遊技場におけるゲーム機等に適用することも可能である。
【００９６】
あるいは、上記各実施形態において、各構成要件の数量は適宜変更できる。例えば、決済システム１０，６０では、Ｒ／Ｗモジュール３１を一個だけ有する一次決済サーバ１３を複数備えるようにしたが、Ｒ／Ｗモジュール３１を複数有する一次決済サーバ１３を一台だけ、あるいは複数備えるようにして、各実施形態と同様の決済処理を行わせてもよい。
【００９７】
以上、２つの実施形態を用いて本発明を説明したが、本発明の技術的範囲は上記２つの実施形態に記載の範囲には限定されないことは言うまでもない。上記２つの実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００９８】
１０，６０  決済システム（電子マネー決済システム）
１１，６２  電子マネー端末装置
１２  ＰＯＳレジスタ
１３  一次決済サーバ（決済サーバ）
１４  本決済サーバ
１５  イントラネット
１６  インターネット
１９  アンテナ（第１のアンテナ）
２０  ＲＦ部
２１  Ａ／Ｄ変換部
２２  通信部
２５  ＣＰＵ
２６  ＥＥＰＲＯＭ
２７  ＲＡＭ
２８  ＮＩＣ
２９  一次決済パッケージ
３０  中継記憶媒体
３０ａ  アンテナ
３０ｂ  Ａ／Ｄ変換部
３０ｃ  ＣＰＵ
３０ｄ  ＲＡＭ
３１  Ｒ／Ｗモジュール
３２  ＲＦ部
３３  アンテナ（第２のアンテナ）
３４  Ａ／Ｄ変換部
３６  通信部
３７  Ｒ／Ｗ制御部
３８  Ａ／Ｄ変換部
３９  通知部
４０  決済処理部
６１  自動販売機
６３  主制御ユニット
６４  自販機インターフェイス
ＸＡ１  記憶媒体（ＩＣカード）
【図１】
2012190433.tif 000003
【図２】
2012190433.tif 000004
【図３】
2012190433.tif 000005
【図４】
2012190433.tif 000006
【図５】
2012190433.tif 000007
【図６】
2012190433.tif 000008
【図７】
2012190433.tif 000009
【図８】
2012190433.tif 000010
【図９】
2012190433.tif 000011
【図１０】
2012190433.tif 000012
【図１１】
2012190433.tif 000013
【図１２】
2012190433.tif 000014